(57)【要約】【課題】カバーシートが損傷しにくいキーボードおよび電子機器を提供する。【解決手段】１または複数のキーを有するキーボードであって、キースイッチ、カバーシート、および保護ピースを備える。キースイッチは、前記キーに対応して１または複数設けられ、本体と、該本体から突出し押圧を受けることにより所定のストローク分だけ前記本体に押し込まれ前記押圧の解除により復帰するキートップと、を有する。カバーシートは、前記キースイッチを覆う。保護ピースは、前記キートップと前記カバーシートとの間に配されて前記カバーシートに固着される。【選択図】図４
2015135593.tif 000002
【特許請求の範囲】
【請求項１】
１または複数のキーを有するキーボードであって、
本体と、該本体から突出し押圧を受けることにより所定のストローク分だけ前記本体に押し込まれ前記押圧の解除により復帰するキートップと、を有し、前記キーに対応して設けられた１または複数のキースイッチと、
前記キースイッチを覆うカバーシートと、
前記キートップと前記カバーシートとの間に配されて前記カバーシートに固着された保護ピースと、
を備えるキーボード。
【請求項２】
前記キーは複数であって、
前記保護ピースは、前記キースイッチの各々に対して設けられ、
全ての前記保護ピースが一体に設けられている
ことを特徴とする請求項１に記載のキーボード。
【請求項３】
複数の前記保護ピースは、シート状の材料を型抜きした格子状のフレームの枠内にそれぞれ連結されている
ことを特徴とする請求項２に記載のキーボード。
【請求項４】
前記保護ピースは、前記キーの占有領域内に収まる大きさで、且つ、前記キートップよりも大きい
ことを特徴とする請求項１〜３のいずれか１つに記載のキーボード。
【請求項５】
請求項１〜４のいずれか１つに記載のキーボードと、
前記キーボードによるキー入力に伴う信号を受けて処理を行う制御部と、
を備える電子機器。
【発明の詳細な説明】
【技術分野】
【０００１】
本発明の実施形態は、キーボードおよび電子機器に関する。
【背景技術】
【０００２】
従来、キースイッチをカバーシートが覆ったキーボードがある。カバーシートは、例えば水気や埃のある場に置かれる装置のキーボードのように、防水や防塵などの対策を施すことが望ましいキーボードに備えられる。
【０００３】
カバーシートは、柔らかく撓む性質の材料で作られている。該材料は、概ね多少の伸縮性を有する。カバーシートは、キートップのストロークが小さい場合には平坦に、またストロークが大きめの場合には、キースイッチ毎の凹凸が設けられた形状にされる。
【０００４】
ところで、キートップは、例えば７ｍｍ程度と指先よりも小さいものが多い。また、指よりもキートップの方が硬い。これらの理由により、指がキートップを押圧するとき、カバーシートは、キートップとともに指にめり込む。キーボードではこの動作が繰り返されるので、カバーシートがキートップに擦られて徐々に傷み、キートップのエッジに沿って破れることがある。また、カバーシートのキートップ側の面に、該キーに割り当てられた機能を示す文字や画像が印刷されるなど何らかの表示がある場合には、該表示が、上述の動作によって削れて薄れることがある。
【発明の概要】
【発明が解決しようとする課題】
【０００５】
本発明が解決しようとする課題は、カバーシートが損傷しにくいキーボードおよび電子機器を提供することである。
【課題を解決するための手段】
【０００６】
実施形態のキーボードは、１または複数のキーを有するキーボードであって、キースイッチ、カバーシート、および保護ピースを備える。キースイッチは、前記キーに対応して１または複数設けられ、本体と、該本体から突出し押圧を受けることにより所定のストローク分だけ前記本体に押し込まれ前記押圧の解除により復帰するキートップと、を有する。カバーシートは、前記キースイッチを覆う。保護ピースは、前記キートップと前記カバーシートとの間に配されて前記カバーシートに固着される。
【０００７】
また、実施形態の電子機器は、上述のキーボードと、前記キーボードによるキー入力に伴う信号を受けて処理を行う制御部と、を備える。
【図面の簡単な説明】
【０００８】
【図１】図１は、実施形態の秤装置の外観を示す斜視図である。
【図２】図２は、実施形態の秤装置が備える各部の電気的接続を示すブロック図である。
【図３】図３は、実施形態の操作表示部が備えるカバーシートの内側面の外観を示す斜視図である。
【図４】図４は、実施形態のカバーシートの内側面に貼付された保護シートの外観を示す斜視図である。
【図５】図５は、実施形態の保護シートが備える保護ピースの外観を示す斜視図である。
【図６】図６は、実施形態のキーボードの構造を示す断面図である。
【図７】図７は、実施形態の変形例の保護シートおよびカバーシートを示す断面図である。
【図８】図８は、実施形態の変形例の保護シートを示す斜視図である。
【図９】図９は、実施形態の変形例の保護シートを示す断面図である。
【発明を実施するための形態】
【０００９】
実施形態について図面を用いて説明する。図１は、秤装置１の外観を示す斜視図である。図２は、秤装置１が備える各部の電気的接続を示すブロック図である。秤装置１は、本体２、上皿３、操作表示部４、および客用表示部５を備えている。
【００１０】
本体２は、制御部２１やロードセル２２などを内蔵している。制御部２１は、ＣＰＵ（Central  Processing  Unit）、ＲＯＭ（Read  Only  Memory）およびＲＡＭ（Random  Access  Memory）（いずれも不図示）等から構成される。ＲＯＭは、ＣＰＵが実行する各種プログラムや各種データを記憶する。ＲＡＭは、ＣＰＵが各種プログラムを実行する際に一時的にデータやプログラムを記憶する。ＣＰＵは、ＲＯＭから読み出したプログラムをＲＡＭに展開して実行することにより、秤装置１が備える各部を統括制御する。
【００１１】
ロードセル２２は、上皿３に載置された計量対象による荷重に応じた出力を制御部２１へ送る。制御部２１は、ロードセル２２からの出力により、計量対象の重さを算出する。
【００１２】
操作表示部４は、オペレータによる操作を受け付けるとともに、オペレータへの各種情報を示す画像を表示する。客用表示部５は、客への各種情報を示す画像を表示する。
【００１３】
操作表示部４は、モニタ４１、タッチパネル４２、およびキーボード４３を備えている。モニタ４１は、画像を表示する。タッチパネル４２は、モニタ４１の表面に積層して設けられ、触れられた位置の座標を出力することにより、モニタ４１に表示された画像に応じた操作を受け付ける。
【００１４】
キーボード４３は、例えば複数のキー６がマトリックス状に並んだものである。キー６は、キー入力に伴って信号を出力する。この信号を受けて、制御部２１が処理を行う。
【００１５】
キーボード４３は、カバーシート７を有している。図３は、カバーシート７の内側面の外観を示す斜視図である。本実施形態のカバーシート７は、タッチパネル４２側まで覆う大きさを有する。カバーシート７の厚さは、例えば０．１ｍｍである。カバーシート７は、モニタ４１、タッチパネル４２、およびキーボード４３を覆って、水気や埃から保護する。また、カバーシート７の内側面には、各キー６に割り当てられた機能を示す文字や画像が印刷されている。
【００１６】
また、キーボード４３は、保護シート８をさらに備えている。図４は、保護シート８の外観を示す斜視図である。保護シート８は、カバーシート７の内側の面に、両面テープ（不図示）などにより貼付されている。保護シート８は、複数の保護ピース８１を、フレーム８２に、連結部８３によって一体化したものである。この保護シート８は、例えば、一枚のシート状の材料を型抜きすることで作成可能である。保護シート８の厚さは、例えば０．２ｍｍである。両面テープの厚さは、例えば０．１５ｍｍである。
【００１７】
保護ピース８１と、フレーム８２および連結部８３との関係について、より詳しく説明する。図５は、保護シート８が備える保護ピース８１の外観を示す斜視図である。フレーム８２は、キー６のマトリックス状の配置に対応した格子状であって、キーボード４３を囲む外周部８２１と、キー６の間を通る仕切部８２２とを備えている。連結部８３は、細い帯状で、一端が保護ピース８１の上端につながり、他端が外周部８２１ないし仕切部８２２につながっている。つまり、連結部８３は、保護ピース８１を外周部８２１ないし仕切部８２２に連結している。これにより、保護ピース８１は、フレーム８２の外周部８２１および仕切部８２２で区切られた個々の枠内に位置する。また、このような構成により、全ての保護ピース８１が一体に設けられている。
【００１８】
保護ピース８１は、キー６の構成要素である。図６は、キーボード４３の構造を示す断面図である。各キー６は、キースイッチ６１および保護ピース８１を有する。
【００１９】
キースイッチ６１は、本体部６１１とキートップ６１２とを有する。キートップ６１２の形状は、例えば直径７ｍｍ程度の丸型である。保護ピース８１は、例えば直径１１ｍｍ程度の丸型であって、キートップ６１２が略中央になるように配される。これにより、保護ピース８１の外周は、キートップ６１２の外周の２ｍｍ程度外側を囲む。
【００２０】
保護ピース８１は、上述の寸法以外でもよいことは言うまでもなく、各キー６が占有する領域内に収まる大きさで、キートップ６１２よりも大きく、概ね指先が触れる範囲に設けられる。
【００２１】
このような構成により、キー６が操作される、つまり押下されると、キートップ６１２が所定のストローク分押し下げられる。このとき、押圧によってカバーシート７が伸びる。キースイッチ６１は、キートップ６１２の押下により、信号を出力する。このキー入力に伴う信号を受けて、制御部２１が処理を行う。
【００２２】
本実施形態によれば、各キー６が保護ピース８１を備えることにより、例えば厚さ０．１ｍｍのカバーシート７が、両面テープも含めると厚さ０．４５ｍｍにまで補強される。これにより、キー６の操作時に、キートップ６１２とともにカバーシート７が指にめり込みにくくなる。よって、該動作が繰り返されると起こるキートップ６１２のエッジ沿いのカバーシート７の破れなどの損傷が、起こりにくくなる。また、カバーシート７のキートップ６１２側の面に設けられた表示が削れて薄れるといった不都合も起こりにくくなる。
【００２３】
さらに、キートップ６１２よりも径が大きい保護ピース８１を介してキースイッチ６１を操作する状態になるので、指先よりもかなり小さなキートップ６１２を柔らかいカバーシート７だけを介して押下する場合に比べて、キートップ６１２を押しやすくなる。つまり、各キー６が保護ピース８１を備えることにより操作性が向上する。
【００２４】
ここで、本実施形態は、キートップ６１２のストロークが大きくない場合、つまり、保護ピース８１の沈み込み量が大きくない場合を想定し、平坦なカバーシート７を採用している。カバーシート７は、柔らかく撓む性質の材料で作られ、伸縮性を有する。カバーシート７の保護ピース８１が貼付されない部分、つまり保護ピース８１の間の部分は、伸縮自在である。このため、隣り合う保護ピース８１は互いにフレキシブルであり、キー６の操作性は損なわれない。
【００２５】
これに対して、キートップ６１２のストロークが大きめである場合には、キースイッチ６１毎の凹凸形状が設けられたカバーシートを採用することで、キー６の操作性が確保される。この場合を実施形態の変形例として、図７〜図９を用いて説明する。
【００２６】
以下、本実施形態の変形例について説明する。変形例の説明にあたって、実施形態と同じ部分については、説明を省略する。
【００２７】
図７は、変形例の保護シート９およびカバーシート１０を示す断面図である。図８は、変形例の保護シート９を示す斜視図である。図９は、変形例の保護シート９を示す断面図である。
【００２８】
カバーシート１０には、キースイッチ６１毎の凹凸形状が、マトリックス状に設けられている。
【００２９】
保護シート９は、保護ピース９１、フレーム９２、連結部９３を有し、キースイッチ６１の内面形状に合わせて、連結部９３が、フレーム９２に対して保護ピース９１を持ち上げる形状に型押しされている。
【００３０】
このような構成によれば、キートップのストロークが大きめで平坦なカバーシートの伸縮のみによって対応不可能なキーボードであっても、カバーシート１０および連結部９３の撓みによって、大きめのストロークに対応可能となる。
【００３１】
以上、上述の実施形態および変形例によれば、保護ピースによって、カバーシートがキートップから保護され、これにより、破れや表示の削れなどのカバーシートの損傷を防止できる。
【００３２】
なお、上記実施形態では、保護ピースは丸型であるが、実施にあたっては、これに限らない。保護ピースは、カバーシートを傷つける角を有しなければよいので、例えば角丸型などであってもよい。
【００３３】
また、上記実施形態では、保護ピースは連結部によりフレームに連結されて保護シートとしてまとめられているが、実施にあたっては、例えば保護ピース同士を連結してまとめてあってもよい。その際には、保護ピース同士の間隔が伸縮可能とされることが望ましい。
【００３４】
さらに、上記実施形態では、保護ピースは、カバーシートの内側の面に貼付されているが、貼付に限らず他の手法によって保護ピースがカバーシートに固着されていてもよく、保護ピースがカバーシートに対して固定的に設けられ、一体化していればよい。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…秤装置、２…本体、３…上皿、４…操作表示部、５…客用表示部、
４１…モニタ、４２…タッチパネル、４３…キーボード、
６…キー、６１…キースイッチ、６１１…本体部、６１２…キートップ、
７…カバーシート、
８…保護シート、
８１…保護ピース、
８２…フレーム、８２１…外周部、８２２…仕切部、
８３…連結部、
９…保護シート、９１…保護ピース、９２…フレーム、９３…連結部、
１０…カバーシート。
【先行技術文献】
【特許文献】
【００３７】
【特許文献１】特開平８−１６１０９３号公報
【図１】
2015135593.tif 000003
【図２】
2015135593.tif 000004
【図３】
2015135593.tif 000005
【図４】
2015135593.tif 000006
【図５】
2015135593.tif 000007
【図６】
2015135593.tif 000008
【図７】
2015135593.tif 000009
【図８】
2015135593.tif 000010
【図９】
2015135593.tif 000011